(57)【要約】【課題】熱源機において、ガス噴射ノズルの水封を起因とするバーナの点火不良を防止すること。【解決手段】燃料ガスを燃焼させるバーナ２２と、バーナ２２へ燃焼用空気を送り込む燃焼ファン２１と、バーナ２２から放出される燃焼排ガスにより加熱され湯を生成する熱交換器２３と、バーナ２２における燃焼炎の有無を検知する炎検知器３９とを備え、バーナ２２が、ガス噴射ノズル４１１から噴射させた燃料ガスをその周辺の燃焼用空気と共にバーナ本体４２内へ導き、炎孔外方で点火し燃焼させるように構成された熱源機１であって、熱源機本体外部の温度を検知する外気温センサ３１を備え、前記点火の動作を行ったにもかかわらず、炎検知器３９にて燃焼炎が検知されない点火不良を生じたときの外気温センサ３１の検知温度が基準温度以下であれば、バーナ２２への燃料ガスの供給量を通常点火時より多い水封時供給量に設定し、前記点火の動作を再実行させる。【選択図】図１
2014159907.tif 000002
【特許請求の範囲】
【請求項１】
燃料ガスを燃焼させるバーナと、熱源機本体外部から前記バーナへ燃料ガスの燃焼用空気を送り込む燃焼ファンと、バーナから放出される燃料ガスの燃焼排ガスにより加熱され湯を生成する熱交換器と、バーナにおける燃料ガスの燃焼炎の有無を検知する炎検知器とを備え、前記バーナが、ガス噴射ノズルからバーナ本体のガス流入口へ向けて噴射させた燃料ガスを、ガス噴射ノズル周辺の燃焼用空気と共にバーナ本体内へ導き、該バーナ本体の炎孔外方で点火し燃焼させるように構成された熱源機であって、
熱源機本体外部の温度を検知する外気温センサを備え、
前記点火の動作を行ったにもかかわらず、炎検知器によって前記燃焼炎が検知されない点火不良を生じたときの外気温センサの検知温度が基準温度以下であれば、バーナへの燃料ガスの供給量を通常点火時より多い水封時供給量に設定し、前記点火の動作を再実行させる制御構成とした、熱源機。
【請求項２】
請求項１に記載の熱源機において、
前回バーナの燃焼が停止されてから今回前記点火の動作を実行させるまでの燃焼停止時間を計測する計時手段を備え、
前記点火不良を生じたときの外気温センサの検知温度が基準温度以下である場合、前記燃焼停止時間が所定時間以内であれば、バーナへの燃料ガスの供給量を前記水封時供給量に設定し、前記点火の動作を再実行させる制御構成とした、熱源機。
【請求項３】
請求項１または２に記載の熱源機において、
前記点火の動作を開始してから点火不良と判定されて点火動作停止させるまでの点火動作継続時間を設定する点火動作継続時間設定手段を備え、
前記点火の動作を再実行させるときの前記点火動作継続時間を、通常点火時より長い水封時点火動作時間に設定する制御構成とした、熱源機。
【発明の詳細な説明】
【技術分野】
【０００１】
本発明は、燃料ガスの燃焼排ガスにより加熱生成した湯を温水利用先へ供給する熱源機に関する。
【背景技術】
【０００２】
従来の熱源機において、温水利用先からの出湯運転開始の指示に応じて、バーナへ供給される燃料ガスをそのガス噴射ノズルからバーナ本体のガス流入口へ向けて噴射させ、さらにガス噴射ノズル周辺の燃焼用空気と共にバーナ本体内へ導き、その炎孔の外方で点火させるように構成されたものが知られている（例えば、特許文献１および２参照）。
【先行技術文献】
【特許文献】
【０００３】
【特許文献１】特公平６−２７５６８号公報
【特許文献２】特開２００６−２６６５１６号公報
【発明の概要】
【発明が解決しようとする課題】
【０００４】
しかしながら、上述のような構成の熱源機では、特にバーナへ供給される燃焼用空気の温度が低くなる寒冷期において、出湯運転が終了した後、器具外の空気が強風や熱源機本体内の負圧の影響により排気口からバーナの配設部へ逆流すると、比較的低温状態であるガス噴射ノズルの表面で結露を生じ、そのガス噴射ノズルのノズル孔が水膜で塞がれてしまう場合がある。そして、このようにガス噴射ノズルが水封状態となってしまうと、次回出湯運転を行う際、ガス噴射ノズルからの燃料ガスの噴射が妨げられてバーナの点火不良を引き起こす虞がある。
【０００５】
本発明は、上記課題を鑑みてなされたものであり、その目的は、燃料ガスの燃焼排ガスにより加熱生成した湯を温水利用先へ供給する熱源機において、ガス噴射ノズルの水封を起因とするバーナの点火不良を防止することにある。
【課題を解決するための手段】
【０００６】
本発明は、燃料ガスを燃焼させるバーナと、熱源機本体外部から前記バーナへ燃料ガスの燃焼用空気を送り込む燃焼ファンと、バーナから放出される燃料ガスの燃焼排ガスにより加熱され湯を生成する熱交換器と、バーナにおける燃料ガスの燃焼炎の有無を検知する炎検知器とを備え、前記バーナが、ガス噴射ノズルからバーナ本体のガス流入口へ向けて噴射させた燃料ガスを、ガス噴射ノズル周辺の燃焼用空気と共にバーナ本体内へ導き、該バーナ本体の炎孔外方で点火し燃焼させるように構成された熱源機であって、熱源機本体外部の温度を検知する外気温センサを備え、前記点火の動作を行ったにもかかわらず、炎検知器によって前記燃焼炎が検知されない点火不良を生じたときの外気温センサの検知温度が基準温度以下であれば、バーナへの燃料ガスの供給量を通常点火時より多い水封時供給量に設定し、前記点火の動作を再実行させる制御構成としたものである。
【０００７】
この熱源機によれば、バーナの点火不良を生じたときの外気温センサの検知温度が基準温度以下であれば、バーナへの燃料ガスの供給量を通常点火時より多くしてその燃料ガスの噴射圧を高め、点火動作を再実行させるから、熱源機本体外部の温度が低く、結露によりガス噴射ノズルが水封状態になったとしても、上記再実行時の燃料ガスの噴射圧によってその水封状態が解消される。従って、確実にバーナを点火させることができる。
【０００８】
上記熱源機において、前回バーナの燃焼が停止されてから今回前記点火の動作を実行させるまでの燃焼停止時間を計測する計時手段を備え、前記点火不良を生じたときの外気温センサの検知温度が基準温度以下である場合、前記燃焼停止時間が所定時間以内であれば、バーナへの燃料ガスの供給量を前記水封時供給量に設定し、前記点火の動作を再実行させる制御構成としたものであるのが望ましい。
【０００９】
出湯運転が終了した直後は高温である熱交換器も、一定時間が経過すれば放熱して低温状態となる。従って、この状態で器具外の空気が熱源機本体内へ逆流しても、その逆流した空気は、熱交換器で加熱されて水蒸気を含んだ湿った空気になることはなく、ガス噴射ノズルの表面で結露を生じない。また、万一湿った空気が排気口から熱源機本体内へ逆流しても、その逆流の上流側（燃焼排ガスの流れに対して下流側）に位置する熱交換器の表面で結露を生じ、その分、ガス噴射ノズルの表面では結露を生じ難い。また、たとえ前回の出湯運転が終了した後、結露によりガス噴射ノズルが水封状態になったとしても、次の出湯運転が一定時間以上なされなければ、自然蒸発によりその水封状態は解消される。そして、このようにガス噴射ノズルが水封状態でないにもかかわらず、バーナへの燃料ガスの供給量を通常点火時より多くして点火動作を行えば、不要に燃料ガスの消費量が増加する不具合がある。
【００１０】
しかしながら、上記熱源機によれば、バーナの点火不良を生じたときの外気温センサの検知温度が基準温度以下であり、且つ、前回バーナの燃焼が停止されてから今回バーナの点火動作が実行されるまでの燃焼停止時間が所定時間以内である場合に、バーナへの燃料ガスの供給量を通常点火時より多くして点火動作を再実行させるから、上述した不要な燃料ガスの消費を防止できる。
【００１１】
上記熱源機において、前記点火の動作を開始してから点火不良と判定されて点火動作停止させるまでの点火動作継続時間を設定する点火動作継続時間設定手段を備え、前記点火の動作を再実行させるときの前記点火動作継続時間を、通常点火時より長い水封時点火動作時間に設定する制御構成としたものであるのが望ましい。
【００１２】
このものでは、バーナの点火不良が生じて点火動作を再実行させる際、バーナの点火動作を開始してから点火不良と判定されて点火動作を停止させるまでの時間、即ち、燃料ガスの供給を継続する点火動作継続時間を、通常点火時より長く設定してバーナの点火動作を再実行させるから、より効果的にガス噴射ノズルの水封状態が解消される。従って、より確実にバーナを点火させることができる。
【発明の効果】
【００１３】
以上のように、本発明によれば、ガス噴射ノズルの水封を起因とするバーナの点火不良を防止できる。
【図面の簡単な説明】
【００１４】
【図１】図１は、本発明の実施の形態に係る熱源機の概略構成図である。
【図２】図２は、本発明の実施の形態に係る熱源機のバーナの一部断面斜視図である。
【図３】図３は、本発明の実施の形態に係る熱源機の出湯運転制御を示すフローチャートである。
【発明を実施するための形態】
【００１５】
次に、上記した本発明を実施するための形態について、添付図面を参照しながら詳述する。
【００１６】
図１に示すように、本実施の形態に係る熱源機１は、給水管路１１から送り込まれる水を加熱し、出湯管路１２を通じてカランやシャワーなどの湯出口Ｐ１へ供給する給湯ユニット１Ａと、戻り管路１３から送り込まれる浴槽Ｐ２の風呂水を加熱し、再び往き管路１４を通じて浴槽Ｐ２内へ送出する風呂ユニット１Ｂとで構成された複合熱源機であり、本体ケース１０内に組み込まれた制御回路１Ｃによってそれら給湯ユニット１Ａおよび風呂ユニット１Ｂの出湯運転が各別に制御される。
【００１７】
本体ケース１０には、外部の空気を本体ケース１０内へ取り込むための給気口１０１と、給湯ユニット１Ａおよび風呂ユニット１Ｂで生成された燃焼排ガスを本体ケース１０の外部へ排出するための排気口１０２とが設けられている。また、本体ケース１０内には、給湯ユニット１Ａおよび風呂ユニット１Ｂの外郭を構成する共通の筐体２０が設けられている。
【００１８】
筐体２０の上部には、上記燃焼排ガスを一括して排気口１０２へ導く集合排気通路１０３が設けられている。また、筐体２０の下部には、給気口１０１から取り込んだ本体ケース１０外部の空気を筐体２０内へ送出する燃焼ファン２１が接続されている。
【００１９】
筐体２０内部の上域の空間は、仕切壁１０４によって左右に区画されており、その一方の空間が給湯ユニット１Ａの排気通路（以下、「給湯側排気通路」という）２０Ａとなり、他方の空間が風呂ユニット１Ｂの排気通路（以下、「風呂側排気通路」という）２０Ｂとなる。また、これら給湯側排気通路２０Ａおよび風呂側排気通路２０Ｂの下端は、共に筐体２０内部の下域の空間（以下、「燃焼室」という）２０Ｃに繋がっている。燃焼ファン２１の吹出口２１０は、この燃焼室２０Ｃの下部に開設されており、燃焼ファン２１を作動させると、本体ケース１０内へ取り込まれた外部の空気が吹出口２１０から燃焼室２０Ｃ内へ後述するバーナ２２の燃焼用空気として送り込まれる。そして、給湯側排気通路２０Ａおよび風呂側排気通路２０Ｂを通り、さらに集合排気通路１０３を通って排気口１０２から本体ケース１０の外部へ排出される。
【００２０】
燃焼室２０Ｃ内には、ガス管路１５から供給される燃料ガスを燃焼用空気と混合して燃焼させ、燃焼排ガスを生成するバーナ２２が組み込まれている。このバーナ２２は、上記燃焼排ガスを給湯側排気通路２０Ａへ供給する給湯側燃焼部２２Ａと、上記燃焼排ガスを風呂側排気通路２０Ｂへ供給する風呂側燃焼部２２Ｂとを有している。また、給湯側燃焼部２２Ａは、燃焼量の最も大きい大燃焼部２２Ｌと、大燃焼部２２Ｌより燃焼量の小さい中燃焼部２２Ｍと、さらに中燃焼部２２より燃焼量の小さい小燃焼部２２Ｓとで構成されている。
【００２１】
給湯側排気通路２０Ａ内には、上記給湯側燃焼部２２Ａから放出される燃焼排ガスにより加熱され、給水管路１１から送り込まれる水を加熱する熱交換器２３（以下、「給湯側熱交換器２３Ａ」という）が組み込まれている。一方、風呂側排気通路２０Ｂ内には、上記風呂側燃焼部２２Ｂから放出される燃焼排ガスにより加熱され、戻り管路１３から送り込まれる風呂水を加熱する熱交換器２３（以下、「風呂側熱交換器２３Ｂ」という）が組み込まれている。尚、本実施の形態における給湯側熱交換器２３Ａおよび風呂側熱交換器２３Ｂは、燃焼排ガス中の顕熱を回収する主熱交換回路２４と、さらに燃焼排ガス中の潜熱を回収する副熱交換回路２５とで構成されているが、主熱交換回路２４のみで構成されてもよい。
【００２２】
本体ケース１０内部における給気口１０１の周縁部には、筐体２０内へ送り込まれる本体ケース１０外部の空気の温度、即ち、バーナ２２へ供給される燃焼用空気の温度を検知する外気温センサ３１が設けられている。尚、外気温センサ３１は、バーナ２２へ供給される燃焼用空気の温度を検知可能な位置であれば、本体ケース１０外部における給気口１０１の周縁部に設けられてもよいし、給気口１０１と燃焼ファン２１との間の燃焼用空気の流通経路に設けられてもよい。また、燃焼ファン２１の図示しない吸込口の近傍位置に設けられてもよいし、上述した吹出口２１０の近傍位置に設けられてもよい。
【００２３】
給水管路１１には、水供給源から給湯側熱交換器２３Ａへ供給される水の流量を検出する水量センサ３２と、その給湯側熱交換器２３Ａへの水の供給量を調整可能な水量調整弁３３とが上流側よりこの順序で設けられている。
【００２４】
戻り管路１３には、浴槽Ｐ２の風呂水を風呂側熱交換器２３Ｂへ送り込み、再び往き管路１４を通じて浴槽Ｐ２へ送り出す循環ポンプ３４と、その循環ポンプ３４の作動により生じた水流に応じてオンオフする水流スイッチ３４０とが上流側よりこの順序で設けられている。
【００２５】
ガス管路１５には、ガス供給源からバーナ２２への燃料ガスの供給を遮断可能なガス元弁３５と、バーナ２２への燃料ガスの供給量を調整可能なガス比例弁３６とが上流側よりこの順序で設けられている。また、上記ガス比例弁３６の下流側には、給湯側燃焼部２２Ａへの燃料ガスの供給を遮断可能なガス遮断弁３７（以下、「給湯ガス遮断弁３７Ａ」という）と、風呂側燃焼部２２Ｂへの燃料ガスの供給を遮断可能なガス遮断弁３７（以下、「風呂ガス遮断弁３７Ｂ」という）とが設けられている。尚、給湯ガス遮断弁３７Ａは、大燃焼部２２Ｌ、中燃焼部２２Ｍおよび小燃焼部２２Ｓに対応する位置に各別に設けられている。
【００２６】
給湯側燃焼部２２Ａおよび風呂側燃焼部２２Ｂの上方近傍（後述する炎孔４２２の上方近傍）には、図示しないイグナイタから高電圧が印加されることで火花放電する点火プラグ３８と、対応する燃焼部（給湯側燃焼部２２Ａまたは風呂側燃焼部２２Ｂ）に燃焼炎が形成されたか否か、即ち、正常に点火されたか否かを検知する炎検知器３９とが各別に設けられている。尚、給湯側燃焼部２２Ａの点火プラグ３８および炎検知器３９は、それぞれ小燃焼部２２Ｓの上方に設けられており、この小燃焼部２２Ｓへ向けて点火プラグ３８から火花放電させ、その小燃焼部２２Ｓにおける燃焼炎の有無を炎検知器３９で検知するように構成されている。
【００２７】
燃焼ファン２１、外気温センサ３１、水量センサ３２、水量調整弁３３、循環ポンプ３４、ガス元弁３５、ガス比例弁３６、給湯ガス遮断弁３７Ａ、風呂ガス遮断弁３７Ｂ、点火プラグ３８および炎検知器３９は、それぞれ図示しない電気配線を通じて制御回路１Ｃに接続されている。
【００２８】
図２に示すように、バーナ２２は、前面部に複数のガス噴射ノズル４１１を有するノズルマニホールド４１と、ガス流入口４２１および炎孔４２２を有する複数のバーナ本体４２とで構成されており、このノズルマニホールド４１の後面部にガス管路１５が接続されている。尚、図示しないが、上述したガス元弁３５、ガス比例弁３６、給湯ガス遮断弁３７Ａおよび風呂ガス遮断弁３７Ｂは、上記ノズルマニホールド４１の後面部に一体的に組みつけられている。
【００２９】
ガス噴射ノズル４１１は、ノズルマニホールド４１の前面部において上下二列横並びで配設されており、その上列側のガス噴射ノズル４１１Ａは、小径（例えば、直径１ｍｍ）のノズル孔Ｆを有し、下列側のガス噴射ノズル４１１Ｂは、大径（例えば、直径１．８ｍｍ）のノズル孔Ｆを有している。これらガス噴射ノズル４１１Ａ，４１１Ｂの各ノズル孔Ｆは、ノズルマニホールド４１内部のガス通路４１０へ繋がっており、ガス管路１５からノズルマニホールド４１へ供給された燃料ガスは、そのガス通路４１０を介して各ガス噴射ノズル４１１Ａ，４１１Ｂへ一括して導かれ、バーナ本体４２のガス流入口４２１へ向けて噴射される。
【００３０】
バーナ本体４２は、プレス形成された金属板を複数重ね合わせて構成された扁平状の中空体であり、ノズルマニホールド４１の前面側に横並びで立設されている。ガス流入口４２１は、バーナ本体４２の後縁部（ノズルマニホールド４１側の端縁部）に設けられ、炎孔４２２は、バーナ本体４２の上縁部に設けられている。
【００３１】
ガス流入口４２１は、ノズルマニホールド４１の上列側のガス噴射ノズル（以下、「濃ノズル」という）４１１Ａに対峙する濃ガス流入口４２１Ａと、下列側のガス噴射ノズル（以下、「淡ノズル」という）４１１Ｂに対峙する淡ガス流入口４２１Ｂとからなり、濃ノズル４１１Ａから噴射された燃料ガスは、この濃ガス流入口４２１Ａを通じて濃ノズル４１１Ａ周辺の燃焼用空気と共にバーナ本体４２内の濃ガス流路４３へ導かれ、淡ノズル４１１Ｂから噴射された燃料ガスは、この淡ガス流入口４２１Ｂを通じて淡ノズル４１１Ｂ周辺の燃焼用空気と共にバーナ本体４２内の淡ガス流路４４へ導かれる。
【００３２】
炎孔４２２は、上記濃ガス流路４３に繋がる濃炎孔４２２Ａと、上記淡ガス流路４４に繋がる淡炎孔４２２Ｂとからなり、濃ガス流路４３へ導かれた燃料ガスと燃焼用空気のガスリッチ混合気は、上記濃炎孔４２２Ａから筐体２０内部の上方へ向けて放出される。一方、淡ガス流路４４へ導かれた燃料ガスと燃焼用空気のエアリッチ混合気は、上記淡炎孔４２２Ｂから筐体２０内部の上方へ向けて放出される。尚、点火プラグ３８は、上記濃炎孔４２２Ａへ向けて火花放電するように構成されており、濃炎孔４２２Ａから放出されたガスリッチ混合気は、この点火プラグ３８の火花放電によって点火され、燃焼する。尚、バーナ２２を濃炎と淡炎とからなる濃淡バーナとすることにより、燃焼排ガスの低ＮＯｘ化を図ることができる。
【００３３】
図示しないが、制御回路１Ｃは、出湯開始および停止の指示がなされたか否かを判定する出湯指示判定部、燃焼ファン２１の作動および停止を行う給気実行部、バーナ２２の点火および消火を行う点消火実行部、湯出口Ｐ１や浴槽Ｐ２などの温水利用先で要求される出湯温度に応じてバーナ２２の燃焼量を調整する燃焼量調整部、バーナ２２の燃焼量に応じて燃焼ファン２１の回転数を調整する給気量調整部、バーナ２２が正常に点火されたか否かを判定する点火判定部、外気温センサ３１の検知温度が所定の基準温度以下であるか否かを判定する外気温判定部、前回バーナ２２が消火されてから今回バーナ２２の点火動作を実行させるまでの燃焼停止時間を計測する計時部、外気温センサ３１の検知温度および上記燃焼停止時間に応じてガス噴射ノズル４１１が水封状態であるか否かを判定する水封判定部、バーナ２２の点火動作時における燃料ガスの供給量を設定するガス供給量設定部、バーナ２２の点火動作時における燃焼ファン２１の回転数を設定する回転数設定部、バーナ２２の点火動作を開始してからバーナ２２の点火不良と判定されて点火動作を停止させるまでの点火動作継続時間を設定する点火動作継続時間設定部、バーナ２２の点火不良が連続して所定回数生じたか否かを判定する異常判定部、図示しない操作端末から熱源機１の異常を報知させる報知指示部等の回路構成を有している。
【００３４】
出湯指示判定部は、給湯ユニット１Ａに対する出湯開始の指示として、水量センサ３２の検知水量が所定の最低作動水量に達したか否かを監視する一方、給湯ユニット１Ａに対する出湯停止の指示として、水量センサ３２の検知水量が最低作動水量未満になったか否かを監視する。また、出湯指示判定部は、風呂ユニット１Ｂに対する出湯開始の指示として、水流スイッチ３４０がオンになったか否かを監視する一方、風呂ユニット１Ｂに対する出湯停止の指示として、水流スイッチ３４０がオフになったか否かを監視する。
【００３５】
点消火実行部は、給湯ユニット１Ａに対する出湯開始の指示がなされると、図示しないイグナイタをオンにして点火プラグ３８から火花放電させると共に、ガス元弁３５および給湯ガス遮断弁３７Ａを開き、さらにガス比例弁３６の開度をガス供給量設定部で設定された点火時の設定開度に調整する点火動作を実行する。一方、給湯ユニット１Ａに対する出湯停止の指示がなされるか、或いは、給湯側燃焼部２２Ａの点火不良と判定された場合には、給湯ガス遮断弁３７Ａおよびガス元弁３５を閉じるガス供給停止動作を実行する。また、点消火実行部は、風呂ユニット１Ｂに対する出湯開始の指示がなされると、図示しないイグナイタをオンにして点火プラグ３８から火花放電させると共に、ガス元弁３５および風呂ガス遮断弁３７Ｂを開き、さらにガス比例弁３６の開度をガス供給量設定部で設定された点火時の設定開度に調整する点火動作を実行する。一方、風呂ユニット１Ｂに対する出湯停止の指示がなされるか、或いは、風呂側燃焼部２２Ｂの点火不良と判定された場合には、風呂ガス遮断弁３７Ｂおよびガス元弁３５を閉じるガス供給停止動作を実行する。
【００３６】
燃焼量調整部は、バーナ２２の給湯側燃焼部２２Ａにおいて点火動作が実行されたときの水量センサ３２の検知水量、給湯側熱交換器２３Ａへの入水温、および、給湯側熱交換器２３Ａからの出湯温に基づいて、湯出口Ｐ１で要求された出湯温度に対応する必要燃焼量を算出し、その算出された必要燃焼量に合わせてガス比例弁３６の開度を制御する。また、燃焼量調整部は、バーナ２２の風呂側燃焼部２２Ｂにおいて点火動作が実行されたときの風呂側熱交換器２３Ｂへの入水温、および、風呂側熱交換器２３Ｂからの出湯温に基づいて、浴槽Ｐ２で要求された出湯温度に対応する必要燃焼量を算出し、その算出された必要燃焼量に合わせてガス比例弁３６の開度を制御する。
【００３７】
給気量調整部は、上記各必要燃焼量に対応する適正量の燃焼用空気をバーナ２２へ送り込むための燃焼ファン２１の目標回転数を設定し、その目標回転数と一致するように燃焼ファン２１の回転数を制御する。
【００３８】
水封判定部は、バーナ２２の給湯側燃焼部２２Ａにおいて、点火動作を開始してから所定の点火動作継続時間が経過したにもかかわらず、炎検知器３９によって燃焼炎が検知されなかった場合、即ち、点火不良と判定された場合に、外気温センサ３１の検知温度が予め設定された基準温度以下であり、且つ、上記燃焼停止時間が予め設定された基準時間以内であれば、その点火不良が結露によるガス噴射ノズル４１１の水封を起因とするものであると判定する。一方、給湯側燃焼部２２Ａにおいて点火不良と判定された場合に、外気温センサ３１の検知温度が基準温度より高いか、或いは、上記燃焼停止時間が基準時間を超えている場合は、上記点火不良がガス噴射ノズル４１１の水封を起因とするものではないと判定する。また、水封判定部は、バーナ２２の風呂側燃焼部２２Ｂにおいて点火不良と判定された場合に、外気温センサ３１の検知温度が基準温度以下であり、且つ、上記燃焼停止時間が基準時間以内であれば、その点火不良が結露によるガス噴射ノズル４１１の水封を起因とするものであると判定する。一方、風呂側燃焼部２２Ｂにおいて点火不良と判定された場合に、外気温センサ３１の検知温度が基準温度より高いか、或いは、上記燃焼停止時間が基準時間を超えている場合は、上記点火不良がガス噴射ノズル４１１の水封を起因とするものではないと判定する。
【００３９】
ガス供給量設定部は、水封判定部にて給湯側燃焼部２２Ａの点火不良がガス噴射ノズル４１１の水封を起因とするものではないと判定された場合は、点火動作の再実行時における給湯側燃焼部２２Ａへの燃料ガスの供給量を所定の通常供給量に設定する一方、ガス噴射ノズル４１１の水封を起因とするものであると判定された場合には、上記供給量を通常供給量より多い水封時供給量に設定する。また、ガス供給量設定部は、水封判定部にて風呂側燃焼部２２Ｂの点火不良がガス噴射ノズル４１１の水封を起因とするものではないと判定された場合は、点火動作の再実行時における風呂側燃焼部２２Ｂへの燃料ガスの供給量を所定の通常供給量に設定する一方、ガス噴射ノズル４１１の水封を起因とするものであると判定された場合には、上記供給量を通常供給量より多い水封時供給量に設定する。
【００４０】
回転数設定部は、水封判定部にて給湯側燃焼部２２Ａの点火不良がガス噴射ノズル４１１の水封を起因とするものではないと判定された場合は、点火動作の再実行時における燃焼ファン２１の回転数を所定の通常回転数に設定する一方、ガス噴射ノズル４１１の水封を起因とするものであると判定された場合には、上記回転数を通常回転数より高い水封時回転数に設定する。また、回転数設定部は、水封判定部にて風呂側燃焼部２２Ｂの点火不良がガス噴射ノズル４１１の水封を起因とするものではないと判定された場合は、点火動作の再実行時における燃焼ファン２１の回転数を所定の通常回転数に設定する一方、ガス噴射ノズル４１１の水封を起因とするものであると判定された場合には、上記回転数を通常回転数より高い水封時回転数に設定する。尚、上記水封時回転数は、給湯側燃焼部２２Ａまたは風呂側燃焼部２２Ｂへの燃料ガスの供給量が上記水封時供給量に設定されたときに、その燃料ガスの点火に適した量の燃焼用空気がそれら給湯側燃焼部２２Ａまたは風呂側燃焼部２２Ｂへ供給される回転数に設定される。
【００４１】
点火動作継続時間設定部は、水封判定部にて給湯側燃焼部２２Ａの点火不良がガス噴射ノズル４１１の水封を起因とするものではないと判定された場合は、今回の点火動作においてその給湯側燃焼部２２Ａへの燃料ガスの供給が開始されてから点火不良と判定されて点火動作を停止させるまでの点火動作継続時間を所定の通常動作継続時間に設定する一方、ガス噴射ノズル４１１の水封を起因とするものであると判定された場合には、上記点火動作継続時間を通常動作継続時間より長い水封時点火動作時間に設定する。また、点火動作継続時間設定部は、水封判定部にて風呂側燃焼部２２Ｂの点火不良がガス噴射ノズル４１１の水封を起因とするものではないと判定された場合は、今回の点火動作においてその風呂側燃焼部２２Ｂへの燃料ガスの供給が開始されてから点火不良と判定されて点火動作を停止させるまでの点火動作継続時間を所定の通常動作継続時間に設定する一方、ガス噴射ノズル４１１の水封を起因とするものであると判定された場合には、上記点火動作継続時間を通常動作継続時間より長い水封時点火動作時間に設定する。
【００４２】
異常判定部は、給湯側燃焼部２２Ａにおいて点火不良が連続して生じた回数（以下、「点火不良回数」という）をカウントし、そのカウント数が所定の基準回数を超えた場合に、給湯ユニット１Ａの異常と判定する。また、異常判定部は、風呂側燃焼部２２Ｂにおける点火不良回数をカウントし、そのカウント数が基準回数を超えた場合に、風呂ユニット１Ｂの異常と判定する。
【００４３】
制御回路１Ｃによる熱源機１の給湯ユニット１Ａにおける出湯運転制御を、図３のフローチャートに従って説明する。熱源機１の図示しない操作端末にて運転スイッチがオンになると、まず、出湯開始の指示として、水量センサ３２の検知水量が所定の最低作動水量（例えば、２．７リットル／分）以上になったか否かの監視を開始する。そして、湯出口Ｐ１が開栓され、上記検知水量が最低作動水量に達すれば、後述する水封フラグが「なし」の状態であることを確認した上で、燃焼ファン２１を通常点火時の回転数（通常回転数）にて作動させ、さらに上述したバーナ２２の給湯側燃焼部２２Ａにおける点火動作を実行させる。また、このときのガス比例弁３６の開度は、通常点火時の開度（通常点火開度）に調整される。これにより、給湯側燃焼部２２Ａに対して通常供給量の燃料ガスの供給が開始される（ＳＴ１〜ＳＴ６）。
【００４４】
そして、上記点火動作を行ってから所定の点火動作継続時間が経過するまでに、炎検知器３９によって燃焼炎が検知された場合、即ち、正常に点火された場合は、図示しないイグナイタをオフにして点火プラグ３８からの火花放電を終了させる。また、図示しないメモリに記憶された点火不良回数Ｃ１が「１」以上であれば「０」にリセットし、後述する水封フラグが「あり」の場合は「なし」に変更する。そして、湯出口Ｐ１側で要求された出湯温度に基づいて給湯側燃焼部２２Ａの燃焼量を調整すると共に、その燃焼量に応じて燃焼ファン２１の回転数を調整する温調制御動作を実行する。これにより、適切に温度調整された湯が湯出口Ｐ１へ供給される（ＳＴ７〜ＳＴ１０）。
【００４５】
その後、湯出口Ｐ１が閉栓され、出湯停止の指示として、水量センサ３２の検知水量が最低作動水量未満になれば、ガス元弁３５および給湯ガス遮断弁３７Ａを閉じて給湯側燃焼部２２Ａへの燃料ガスの供給を停止し、さらに燃焼ファン２１の回転を一定時間経過後に停止させ、再び、上述したＳＴ１以降のステップを行う（ＳＴ１１〜ＳＴ１３）。
【００４６】
一方、上記点火動作を行ってから所定の点火動作継続時間が経過するまでに、炎検知器３９によって燃焼炎が検知されなかった場合、即ち、点火不良と判定された場合は（ＳＴ７のステップでＮｏ）、図示しないイグナイタをオフにして点火プラグ３８からの火花放電を終了させると共に、ガス元弁３５および給湯ガス遮断弁３７Ａを閉じて給湯側燃焼部２２Ａへの燃料ガスの供給を停止させる（ＳＴ１４〜ＳＴ１５）。
【００４７】
そして、点火不良回数Ｃ１に１カウント加算し、その点火不良回数Ｃ１が所定の基準回数Ｃｓ（例えば、３回）以下であれば、外気温センサ３１の検知温度Ｔ１が予め設定された基準温度Ｔｓ（例えば、１５℃）以下であるか否か、および、前回バーナ２２が消火されてから今回点火動作がなされるまでの燃焼停止時間Ｈ１が予め設定された基準時間Ｈｓ（例えば、１２時間）以内であるか否かを判定する（ＳＴ１６〜ＳＴ１９）。
【００４８】
このとき、外気温センサ３１の検知温度Ｔ１が基準温度Ｔｓ以下でなければ（ＳＴ１８のステップでＮｏ）、出湯運転中、燃焼用空気に晒されるガス噴射ノズル４１１の表面温度も比較的高い。そのため、たとえこの状態で本体ケース１０外部の空気が排気口１０２から筐体２０内のバーナ２２の配設部まで逆流したとしても、ガス噴射ノズル４１１の表面では結露を生じ難い。従って、この場合は、上記点火不良がガス噴射ノズル４１１の水封によるものではないとして、上述したＳＴ２からＳＴ６のステップ、即ち、給湯側燃焼部２２Ａにおける通常時の点火動作を再実行させる。
【００４９】
一方、外気温センサ３１の検知温度Ｔ１が基準温度Ｔｓ以下ではあるが（ＳＴ１８のステップでＹｅｓ）、燃焼停止時間Ｈ１が基準時間Ｈｓ以内でない場合は（ＳＴ１９のステップでＮｏ）、前回の出湯運転で加熱され高温となった給湯側熱交換器２３Ａも、放熱により冷めて低温状態となっている。そのため、この状態で本体ケース１０外部の空気が筐体２０内へ逆流したとしても、その逆流した空気は、給湯側熱交換器２３Ａで加熱されて水蒸気を含んだ湿った空気になることはなく、ガス噴射ノズル４１１の表面では結露を生じない。また、万一湿った空気が排気口１０２から筐体２０内へ逆流した場合でも、給湯側熱交換器２３Ａの表面で結露するため、ガス噴射ノズル４１１の表面では結露を生じ難い。また、たとえ前回の出湯運転が終了した後、結露によりガス噴射ノズル４１１のノズル孔Ｆが水膜で塞がれたとしても、燃焼停止時間Ｈ１が基準時間Ｈｓを超えれば、自然蒸発によりその水膜は消失される。従って、この場合も同様、上記点火不良がガス噴射ノズル４１１の水封によるものではないとして、給湯側燃焼部２２Ａにおける通常時の点火動作を再実行させる。
【００５０】
そして、上述したＳＴ２からＳＴ７のステップ、および、ＳＴ１４からＳＴ１９のステップを繰り返す間に、点火不良回数Ｃ１が基準回数Ｃｓを超えた場合（ＳＴ１７のステップでＹｅｓ）には、給湯ユニット１Ａが異常である旨を図示しない操作端末から表示や音声出力によって報知させると共に、燃焼ファン２１の回転を一定時間経過後に停止させ、運転を終了する（ＳＴ２０〜ＳＴ２１）。
【００５１】
これに対し、外気温センサ３１の検知温度Ｔ１が基準温度Ｔｓ以下であり（ＳＴ１８のステップでＹｅｓ）、且つ、燃焼停止時間Ｈ１も基準時間Ｈｓ以内である場合は（ＳＴ１９のステップでＹｅｓ）、上記点火不良がガス噴射ノズル４１１の水封によるものであると認められるから、この場合は、ガス噴射ノズル４１１が水封状態であることを示す水封フラグを「あり」として、上記ＳＴ２のステップに戻る（ＳＴ２２）。
【００５２】
そして、水封フラグが「あり」の状態であれば（ＳＴ２のステップでＮｏ）、燃焼ファン２１を通常回転数より高い水封時回転数にて作動させ、さらに上述したバーナ２２の給湯側燃焼部２２Ａにおける点火動作を実行させる。また、このときのガス比例弁３６の開度は、通常点火開度より大きい水封時点火開度に調整される。これにより、給湯側燃焼部２２Ａに対して通常供給量より多い水封時供給量の燃料ガスの供給が開始される。その結果、ガス噴射ノズル４１１からの燃料ガスの噴射圧が高まり、この噴射圧によってガス噴射ノズル４１１の水封状態が解消される（ＳＴ２３〜ＳＴ２６）。
【００５３】
そして、上述したＳＴ２３からＳＴ２６のステップ、即ち、給湯側燃焼部２２Ａにおける水封時の点火動作を行った結果、給湯側燃焼部２２Ａが正常に点火された場合は（ＳＴ７のステップでＹｅｓ）、上記ＳＴ８以降のステップを実行する。一方、給湯側燃焼部２２Ａが正常に点火されなかった場合には（ＳＴ７のステップでＮｏ）、再び、上記ＳＴ１４以降のステップを行う。
【００５４】
尚、図示しないが、上記水封時の点火動作における点火動作継続時間は、通常時の点火動作継続時間（例えば、４秒）より長い水封時点火動作時間（例えば、６秒）に設定される。即ち、ガス噴射ノズル４１１が水封状態である場合、燃料ガスの供給時間を通常点火時より長くして給湯側燃焼部２２Ａの点火動作が再実行される。これにより、ガス噴射ノズル４１１の水封状態がより効果的に解消される。
【００５５】
風呂ユニット１Ｂにおける出湯運転制御も上述した給湯ユニット１Ａと同様に制御される。
【００５６】
このように、上記実施の形態によれば、バーナ２２の点火不良を生じたときの外気温センサ３１の検知温度Ｔ１が基準温度Ｔｓ以下であれば、バーナ２２への燃料ガスの供給量を通常点火時より多くしてその燃料ガスの噴射圧を高め、点火動作を再実行させるから、本体ケース１０外部の温度が低く、結露によりガス噴射ノズル４１１が水封状態になったとしても、上記再実行時の燃料ガスの噴射圧によってその水封状態が解消される。従って、確実にバーナ２２を点火させることができる。これにより、ガス噴射ノズル４１１の水封を起因とするバーナ２２の点火不良を防止できる。
【００５７】
特に、上述したバーナ２２のような所謂濃淡バーナを備えた熱源機１の場合、濃ノズル４１１Ａのノズル孔Ｆが比較的小径であるため、その濃ノズル４１１Ａにおいて水封が生じやすい。しかも、点火プラグ３８は、その濃ノズル４１１Ａから噴射される燃料ガスを放出させる濃炎孔４２２Ａへ向けて火花放電するように構成されているため、一部の濃ノズル４１１Ａのみが水封状態になっても点火不良を生じさせる可能性が高い。しかしながら、上記実施の形態によれば、濃ノズル４１１Ａが水封状態になったとしても、上記再実行によってその濃ノズル４１１Ａの水封状態が解消されるから、確実にバーナ２２を点火させることができる。
【００５８】
また、このものでは、バーナ２２の点火不良を生じたときの外気温センサ３１の検知温度Ｔ１が基準温度Ｈｓ以下であり、且つ、バーナ２２の燃焼停止時間Ｈ１が基準時間Ｈｓ以内である場合に、燃料ガスの供給量を通常点火時より多くしてバーナ２２の点火動作を再実行させることで、ガス噴射ノズル４１１が水封状態になったときのみバーナ２２への燃料ガスの供給量を多くするから、上述した不要な燃料ガスの消費を防止できる。
【００５９】
さらに、このものでは、バーナ２２の点火不良が生じて点火動作を再実行させる際、バーナ２２の点火動作を開始してから点火不良と判定されて点火動作を停止させるまでの時間、即ち、燃料ガスの供給を継続する点火動作継続時間を、通常点火時より長く設定してバーナ２２の点火動作を再実行させるから、より効果的にガス噴射ノズル４１１の水封状態が解消される。従って、より確実にバーナ２２を点火させることができる。これにより、ガス噴射ノズル４１１の水封を起因とするバーナ２２の点火不良を一層確実に防止できる。
【００６０】
尚、本実施の形態では、バーナ２２の点火不良と判定された場合に、外気温センサ３１の検知温度が基準温度以下であり、且つ、上記燃焼停止時間が基準時間以内であれば、バーナ２２への燃料ガスの供給量を通常点火時より多く設定して点火動作を再実行させるものを説明したが、バーナ２２の点火不良と判定された場合に、外気温センサ３１の検知温度が基準温度以下であれば、上記燃焼停止時間にかかわらず、バーナ２２への燃料ガスの供給量を通常点火時より多く設定して点火動作を再実行させる制御構成としてもよい。この場合、上記燃料ガスの点火に適した量の燃焼用空気がバーナ２２へ供給されるよう、燃焼ファン２１の回転数を通常回転数より高い水封時回転数に設定する。
【００６１】
本実施の形態では、湯出口Ｐ１へ湯を供給する給湯ユニット１Ａと、浴槽Ｐ２の風呂水を加熱循環する風呂ユニット１Ｂとで構成された複合熱源機を説明したが、本発明は、さらに浴室暖房乾燥機などの温水端末への温水の循環供給も可能な構成の複合熱源機にも適用できる。また、本発明は、上記温水端末への温水の循環供給のみ可能な暖房専用熱源機にも適用できるし、湯出口Ｐ１への湯の供給のみ可能な給湯器にも適用できる。
【００６２】
また、本実施の形態では、バーナ２２の給湯側燃焼部２２Ａおよび風呂側燃焼部２２Ｂへ共通の燃焼ファン１１によって燃焼用空気を供給する構成の熱源機を説明したが、本発明は、バーナ２２の給湯側燃焼部２２Ａおよび風呂側燃焼部２２Ｂへ二つの燃焼ファン１１によって各別に燃焼用空気を供給する構成の熱源機にも適用できる。
【符号の説明】
【００６３】
１      熱源機
２１    燃焼ファン
２２    バーナ
２３    熱交換器
３１    外気温センサ
３９    炎検知器
４１１  ガス噴射ノズル
４２    バーナ本体
４２１  ガス流入口
４２２  炎孔
【図１】
2014159907.tif 000003
【図２】
2014159907.tif 000004
【図３】
2014159907.tif 000005